(57)【要約】【課題】掛板体を壁等に吊下することができてそれほどスペースを取ることがなく、しかも、箱体を掛板体から外した状態で小物類の収納や取出、持ち運びを行うことができ、それだけ使用の融通性を高めることができ、さらには、上記掛板体に曜日表示部を設けると共に上記複数個の箱体に日付表示部を設け、掛板体に複数個の箱体をカレンダー状に着脱自在に配置可能な配置部を設けているので、例えば、整理すべき小物類が薬の場合、処方箋に基づいて定められた服用日に該当する薬を当該日付の日付表示部をもつ箱体に入れて置くことにより、薬の分別を行うことができると共に服用しなかった日が分かって服用忘れを防ぐことができる。【解決手段】複数個の箱体１と、壁掛け可能な掛板体３とからなり、掛板体に曜日表示部２を設け、上記複数個の箱体に日付表示部３ａを設け、掛板体に該複数個の箱体をカレンダー状に着脱自在に配置可能な配置部４を設けてなる。【選択図】        図１
2004167053.tif 000002
【特許請求の範囲】
【請求項１】
複数個の箱体と、壁掛け可能な掛板体とからなり、上記掛板体に曜日表示部を設け、上記複数個の箱体に日付表示部を設け、該掛板体に該複数個の箱体をカレンダー状に着脱自在に配置可能な配置部を設けてなることを特徴とする小物整理具。
【請求項２】
上記日付表示部は印刷又は貼付シールにより形成されていることを特徴とする請求項１記載の小物整理具。
【請求項３】
上記壁掛体及び箱体は合成樹脂により形成されていることを特徴とする請求項１又は２記載の小物整理具。
【発明の詳細な説明】
【０００１】
【発明の属する技術分野】
本発明は例えば薬、ピアス、指輪、アクセサリ、毛針、フライ等の釣り用具、写真、キャラクターシール、ボタン、事務用品等の小物類の整理に用いられる小物整理具に関するものである。
【０００２】
【従来の技術】
【０００３】
【特許文献１】
実用新案登録第３０２６７９２号公報
【０００４】
従来、この種の小物整理箱として、外枠体に複数個の引出体を複数段に設け、外枠体に曜日表示部を設けた構造のものが知られている。
【０００５】
【発明が解決しようとする課題】
しかしながら上記従来構造の場合、外枠体を机や棚の上に載置して使用されるため、収納スペースを取ったり、置き場所に困ることがあり、又、引出体に対するの小物類の収納、取出が面倒なことがあるという不都合を有している。
【０００６】
【課題を解決するための手段】
本発明はこのような不都合を解決することを目的とするもので、本発明のうちで、請求項１記載の発明は、複数個の箱体と、壁掛け可能な掛板体とからなり、上記掛板体に曜日表示部を設け、上記複数個の箱体に日付表示部を設け、該掛板体に該複数個の箱体をカレンダー状に着脱自在に配置可能な配置部を設けてなることを特徴とする小物整理具にある。
【０００７】
又、請求項２記載の発明は、上記日付表示部は印刷又は貼付シールにより形成されていることを特徴とするものであり、又、上記壁掛体及び箱体は合成樹脂により形成されていることを特徴とするものである。
【０００８】
【発明の実施の形態】
図１乃至図４は本発明の実施の形態例を示し、１は箱体であって、この場合、合成樹脂製にして、三十五個形成され、これら箱体１はそれぞれ容器体１ａに蓋体１ｂを開閉自在に設けると共に取っ手１ｃを突設してなり、この複数個の箱体に１〜３１の数字からなる日付表示部２を予め１〜３１の数字を印刷して置いたシールを貼付することにより形成している。尚、箱体１に直接１〜３１の数字からなる日付表示部２を印刷することもある。
【０００９】
３は掛板体であって、この場合、合成樹脂製にして、上部に「ＳＵＮ」から「ＳＡＴ」の曜日からなる曜日表示部３ａが印刷形成され、左右に吊下穴３ｂ・３ｂが形成され、曜日表示部３ａの各々の下部に複数個の箱体１をカレンダー状に着脱自在に配置可能な配置部４を設けて構成している。
【００１０】
この場合、上記配置部４として、上記壁掛体１に横七列、縦五列計三十五個の引掛溝４ａを配置形成し、上記三十五個の箱体１に引掛溝４ａに着脱自在に吊下上に係止可能な係止凸部１ｄを突設して構成している。
【００１１】
この実施の形態例は上記構成であるから、掛板体３の横七列、縦五列計三十五個の配置部４に当該月のカレンダーに対応して当該日付表示部２を設けた箱体１を吊下状に配置し、各箱体１に小物類を分別収納して整理することができ、この際、複数個の箱体１は掛板体３に着脱自在に配置されているので、掛板体１を壁等に吊下することができてそれほどスペースを取ることがなく、しかも、箱体１を掛板体３から外した状態で小物類の収納や取出、持ち運びを行うことができ、それだけ使用の融通性を高めることができ、さらには、上記掛板体３に曜日表示部３ａを設けると共に上記複数個の箱体１に日付表示部２を設け、掛板体３に複数個の箱体１をカレンダー状に着脱自在に配置可能な配置部４を設けているので、例えば、整理すべき小物類が薬の場合、処方箋に基づいて定められた服用日に該当する薬を当該日付の日付表示部２をもつ箱体１に入れて置くことにより、服用日の日付の日付表示部２をもつ箱体１を掛板体３から取り出して箱体１内から薬を取り出すことになり、このため、薬の分別を行うことができると共に服用しなかった日が分かって服用忘れを防ぐことができ、又、例えば、整理すべき小物類がピアスや指輪、アクセサリー、釣り道具の場合、使用日に該当するピアス等を当該日付の日付表示部２をもつ箱体１に入れて置くことにより、ピアス類の分別を行うことができると共に当該使用日に応じて予め整理収納しておくことができ、勿論、例えば、写真、キャラクターシール、ボタン、事務用品等の小物類にあっては、コレクション別、友達別、用途別に分別して使用することができ、整理を整然と行うことができる。
【００１２】
又、この場合、上記日付表示部２は印刷又は貼付シールにより形成されているので、日付表示部２を容易に形成することができ、又、この場合、上記掛板体３及び箱体１は合成樹脂により形成されているので、軽量化を図ることができると共に製作コストを低減することができる。
【００１３】
尚、本発明は上記実施の形態例に限られるものではなく、箱体１、日付表示部２、掛板体３、曜日表示部３ａの形態や配置部４の構造等は適宜変更して設計される。
【００１４】
【発明の効果】
本発明は上述の如く、請求項１記載の発明にあっては、掛板体の配置部に当該月のカレンダーに対応して当該日付表示部を設けた箱体を配置し、各箱体に小物類を分別収納して整理することができ、この際、複数個の箱体は掛板体に着脱自在に配置されているので、掛板体を壁等に吊下することができてそれほどスペースを取ることがなく、しかも、箱体を掛板体から外した状態で小物類の収納や取出、持ち運びを行うことができ、それだけ使用の融通性を高めることができ、さらには、上記掛板体に曜日表示部を設けると共に上記複数個の箱体に日付表示部を設け、掛板体に複数個の箱体をカレンダー状に着脱自在に配置可能な配置部を設けているので、例えば、整理すべき小物類が薬の場合、処方箋に基づいて定められた服用日に該当する薬を当該日付の日付表示部をもつ箱体に入れて置くことにより、服用日の日付の日付表示部をもつ箱体を掛板体から取り出して箱体内から薬を取り出すことになり、このため、薬の分別を行うことができると共に服用しなかった日が分かって服用忘れを防ぐことができ、又、例えば、整理すべき小物類がピアスや指輪、アクセサリー、釣り道具の場合、使用日に該当するピアス等を当該日付の日付表示部をもつ箱体に入れて置くことにより、ピアス類の分別を行うことができると共に当該使用日に応じて予め整理収納しておくことができ、勿論、例えば、写真、キャラクターシール、ボタン、事務用品等の小物類にあっては、コレクション別、友達別、用途別に分別して使用することができ、小物類の整理を整然と行うことができる。
【００１５】
又、請求項２記載の発明にあっては、上記日付表示部は印刷又は貼付シールにより形成されているので、日付表示部を容易に形成することができ、又、請求項３記載の発明にあっては、上記掛板体及び箱体は合成樹脂により形成されているので、軽量化を図ることができると共に製作コストを低減することができる。
【００１６】
以上の如く、所期の目的を充分達成することができる。
【図面の簡単な説明】
【図１】本発明の実施の形態例の全体正面図である。
【図２】本発明の実施の形態例の部分縦断面図である。
【図３】本発明の実施の形態例の部分平面図である。
【図４】本発明の実施の形態例の部分斜視図である。
【符号の説明】
１  箱体
２  日付表示部
３  掛板体
４  配置部
【図１】
2004167053.tif 000003
【図２】
2004167053.tif 000004
【図３】
2004167053.tif 000005
【図４】
2004167053.tif 000006